(57)【要約】【課題】簡単な構成で確実にカッターのアップダウンを行うことができるようにする。【解決手段】カバー２０にリンク２２，２４の一方側を回転自在に軸支し、リンク４２の一方側をリンク２２，２４の他方側に回転自在に軸支し、リンク４２の他方側をカバー２０に昇降自在に支承するとともにリンク４２にカッター３０の中心を回転自在に軸支する。係合軸４６の一方側をリンク２２，２４の他方側に直角に固設し、係合軸４６の他方側を記録ヘッドの移動経路の両端に位置する当接部材１６，１８に係合可能な位置に突出する。カバー２０に、係合軸４６の弧状の移動運動を案内するガイド穴４８を設け、このガイド穴４８に、係合軸４６が当接部材１６，１８に衝突しこれに押動されたときこの押動位置に前記係合軸４６を係止するガイド面４８ａ，４８ｂを形成する。【選択図】  図１
2004345074.tif 000002
【特許請求の範囲】
【請求項１】
記録ヘッド側に搭載された用紙切断装置であって、カバーと、一方側が前記カバーに回転自在に軸支された第１のリンクと、一方側が前記第１のリンクの他方側に回転自在に軸支され該軸支部から適宜はなれた部位が前記カバーに昇降自在に支承された第２のリンクと、前記第２のリンクに回転自在に支承された丸刃型のカッターと、一方側が前記第１のリンクの他方側に直角に連結し他方側が前記記録ヘッドの移動経路の両端に位置する当接部材に係合可能な位置に突出する係合軸と、前記第１のリンクの弧状の移動運動を案内し前記第１のリンクが前記係合軸を介して押動されたときこの押動位置に前記第１のリンクを係止するガイド穴とを備え、前記カッターが上昇した状態において、前記第１と第２のリンクが屈折し、前記係合軸が一方向に押動されると前記第１と第２のリンクの屈折状態が伸長方向に変位して前記第２のリンクが押し下げられ前記カッターが用紙切断位置まで下降するとともに前記第１のリンクが前記ガイド穴に係止され、前記係合軸が反対方向に押動されると前記第２のリンクが上昇し前記カッターが上昇するようにしたことを特徴とする記録装置の用紙切断装置。
【請求項２】
記録ヘッド側に搭載されプラテン上の用紙をプラテンに形成したスリットに沿って切断するための用紙切断装置であって、カバーと、一方側が前記カバーに回転自在に軸支された第１のリンクと、一方側が前記第１のリンクの他方側に回転自在に軸支され該軸支部から適宜はなれた部位が前記カバーに昇降自在に支承された第２のリンクと、前記第２のリンクに回転自在に支承された丸刃型のカッターと、一方側が前記第１のリンクの他方側に直角に連結し他方側が前記記録ヘッドの移動経路の両端に位置する当接部材に係合可能な位置に突出する係合軸と、前記第１のリンクの弧状の移動運動を案内し該第１のリンクが前記係合軸を介して押動されたときこの押動位置に前記第１のリンクを係止するガイド穴とを備え、前記カッターが上昇した状態において、前記第１と第２のリンクが屈折し、前記係合軸が一方向に押動されると前記第１と第２のリンクの屈折状態が伸長方向に変位して前記第２のリンクが押し下げられ前記カッターが用紙切断位置まで下降するとともに前記第１のリンクが前記ガイド穴に係止され、前記係合軸が反対方向に押動されると前記第２のリンクが上昇し前記カッターが上昇するように成し、前記カッターに盤体を同心状に設け、前記カッターが下降すると前記盤体が前記プラテンに当接して用紙を押さえ、該盤体と用紙との摩擦によって前記記録ヘッドの移動により前記カッターが回転するようにしたことを特徴とする記録装置の用紙切断装置。
【請求項３】
前記第２のリンク側の、前記カッターの中心に対して偏心した位置に、ローラを回転自在に設け、前記カッターが下降すると前記盤体と前記ローラがプラテン上の用紙に圧接し、該盤体とローラとで、用紙切断時、用紙の切断施行部分の近傍と後方を前記プラテンに押し付けるようにしたことを特徴とする請求項２に記載の記録装置の用紙切断装置。
【請求項４】
前記第２のリンクに揺動アームの一方を回転自在に軸支し、該揺動アームの他方をばねを介して前記第２のリンクに支承し、前記揺動アームに前記盤体が同心状に固着された丸刃型のカッターを回転自在に支持し、前記第２のリンクが下降したとき前記ばねの弾力を介して前記盤体が前記プラテンに弾接するようにしたことを特徴とする請求項２に記載の記録装置の用紙切断装置。
【請求項５】
前記揺動アームにローラを回転自在に設け、前記第２のリンクが下降すると前記盤体と前記ローラがプラテン上の用紙に弾接し、該盤体とローラとで、用紙切断時、用紙の切断施行部分の近傍と後方を前記プラテンに押し付けるようにしたことを特徴とする請求項４に記載の記録装置の用紙切断装置。
【請求項６】
前記揺動アームに短尺アームの一方を回転自在に軸支し、該短尺アームの他方をばねを介して前記揺動アームに支承し、前記短尺アームにローラを回転自在に設け、前記第２のリンクが下降すると前記盤体と前記ローラがプラテン上の用紙に弾接し、該盤体とローラとで、用紙切断時、用紙の切断施行部分の近傍と後方を前記プラテンに押し付けるようにしたことを特徴とする請求項４に記載の記録装置の用紙切断装置。
【請求項７】
前記カッターの中心の軸体を前記カバー側を支点とするばねに連結し該軸体を上昇方向に付勢したことを特徴とする請求項１乃至請求項６のいずれか１つに記載の記録装置の用紙切断装置。
【発明の詳細な説明】
【０００１】
【発明の属する技術分野】
本発明はインクジェットプリンタなどの記録装置に用いられる用紙切断装置に関する。
【０００２】
【従来の技術】
従来の用紙切断装置は、カッターカムを使用し、カッターカムが一方向に移動すると、カッターカムの案内部によってカッターが用紙切断可能位置に移動し、カッターカムが他方向に移動するとカッターカムの案内部によってカッター用紙から引っ込んだ位置に移動し、カッターカムはキャリッジの移動によって２つの側板に衝突すると、２方向に移動するように構成されている（例えば特許文献１参照）。
【０００３】
また、プラテン上を左右に移動するキャリッジに、回転体の一端側を回転自在に取り付けるとともに、左右にスライド自在なスライド部材をばねで一方向に付勢した状態で取り付け、このスライド部材には係合ピンを突設し、回転体にはその係合ピンがスライド係合可能なカム穴を穿設してスライド部材の移動により回転体の他端側が上下動するようにし、その回転体の他端側下部に押圧ローラとカッターを配設し、上記プラテンの一方にはスライド部材の端部に当接する当接部を設け、他方側の底面には逃がし穴を設けたものもある（特許文献２参照）。
【０００４】
また、ローラとカッター幅方向に亘って切断するためのロータリー刃と、ロータリー刃の回転軸と、ロータリー刃の回転軸を回転可能に支持するホルダ本体と、ロータリー刃から見てロール紙進行方向後方側に、ロータリー刃と同心的に且つロータリー刃に隣接して設けられる、ロータリー刃より小さな直径を有する押し付けローラと、ホルダ本体の上面に形成され、ロータリー刃から見てロール紙進行方向前方側に突出しており、ホルダ本体の切断時進行方向の後方側に形成される支持面とを備え、ロータリー刃はロール紙の非印刷面側から臨んでいる構成のものもある（例えば特許文献３参照）。
【０００５】
またカットホルダの側壁の上部に、４つの開口を上下左右に並んで形成し、これら４つの開口にカッタスライドの中側壁に近い部分から上に延びる一対のリンクの係止突起を選択的に入り込ませる構成のものもある（例えば特許文献４参照）。
【０００６】
【特許文献１】
特開平１０−５２９５５号公報（第１ページ、第１図）
【特許文献２】
特開平１１−３３４１６２号公報（第１ページ、第１図）
【特許文献３】
特開２００２−２２６１２５号公報（第１ページ、第２図）
【特許文献４】
特開２００２−１０８４３６号公報（第１ページ、第１図）
【０００７】
【発明が解決しようとする課題】
従来、種々の構造のカッター機構が提供されているが、カッターの昇降機構が複雑でコスト高となってしまうという問題点がある。
本発明は簡単な構造によって、確実にカッターのアップダウンができる切断装置を提供することをを目的とするものである。
【０００８】
【課題を解決するための手段】
上記目的を達成するため、本発明は、記録ヘッド側に搭載された用紙切断装置であって、カバーと、一方側が前記カバーに回転自在に軸支された第１のリンクと、一方側が前記第１のリンクの他方側に回転自在に軸支され該軸支部から適宜はなれた部位が前記カバーに昇降自在に支承された第２のリンクと、前記第２のリンクに回転自在に支承された丸刃型のカッターと、一方側が前記第１のリンクの他方側に直角に連結し他方側が前記記録ヘッドの移動経路の両端に位置する当接部材に係合可能な位置に突出する係合軸と、前記第１のリンクの弧状の移動運動を案内し前記第１のリンクが前記係合軸を介して押動されたときこの押動位置に前記第１のリンクを係止するガイド穴とを備え、前記カッターが上昇した状態において、前記第１と第２のリンクが屈折し、前記係合軸が一方向に押動されると前記第１と第２のリンクの屈折状態が伸長方向に変位して前記第２のリンクが押し下げられ前記カッターが用紙切断位置まで下降するとともに前記第１のリンクが前記ガイド穴に係止され、前記係合軸が反対方向に押動されると前記第２のリンクが上昇し前記カッターが上昇するようにしたものである。
【０００９】
また本発明は、記録ヘッド側に搭載されプラテン上の用紙をプラテンに形成したスリットに沿って切断するための用紙切断装置であって、カバーと、一方側が前記カバーに回転自在に軸支された第１のリンクと、一方側が前記第１のリンクの他方側に回転自在に軸支され該軸支部から適宜はなれた部位が前記カバーに昇降自在に支承された第２のリンクと、前記第２のリンクに回転自在に支承された丸刃型のカッターと、一方側が前記第１のリンクの他方側に直角に連結し他方側が前記記録ヘッドの移動経路の両端に位置する当接部材に係合可能な位置に突出する係合軸と、前記第１のリンクの弧状の移動運動を案内し該第１のリンクが前記係合軸を介して押動されたときこの押動位置に前記第１のリンクを係止するガイド穴とを備え、前記カッターが上昇した状態において、前記第１と第２のリンクが屈折し、前記係合軸が一方向に押動されると前記第１と第２のリンクの屈折状態が伸長方向に変位して前記第２のリンクが押し下げられ前記カッターが用紙切断位置まで下降するとともに前記第１のリンクが前記ガイド穴に係止され、前記係合軸が反対方向に押動されると前記第２のリンクが上昇し前記カッターが上昇するように成し、前記カッターに盤体を同心状に設け、前記カッターが下降すると前記盤体が前記プラテンに当接して用紙を押さえ、該盤体と用紙との摩擦によって前記記録ヘッドの移動により前記カッターが回転するようにしたものである。
【００１０】
また本発明は、前記第２のリンク側の、前記カッターの中心に対して偏心した位置に、ローラを回転自在に設け、前記カッターが下降すると前記盤体と前記ローラがプラテン上の用紙に圧接し、該盤体とローラとで、用紙切断時、用紙の切断施行部分の近傍と後方を前記プラテンに押し付けるようにしたものである。
【００１１】
また本発明は、前記第２のリンクに揺動アームの一方を回転自在に軸支し、該揺動アームの他方をばねを介して前記第２のリンクに支承し、前記揺動アームに前記盤体が同心状に固着された丸刃型のカッターを回転自在に支持し、前記第２のリンクが下降したとき前記ばねの弾力を介して前記盤体が前記プラテンに弾接するようにしたものである。
【００１２】
また本発明は、前記揺動アームにローラを回転自在に設け、前記第２のリンクが下降すると前記盤体と前記ローラがプラテン上の用紙に弾接し、該盤体とローラとで、用紙切断時、用紙の切断施行部分の近傍と後方を前記プラテンに押し付けるようにしたものである。
【００１３】
また本発明は、前記揺動アームに短尺アームの一方を回転自在に軸支し、該短尺アームの他方をばねを介して前記揺動アームに支承し、前記短尺アームにローラを回転自在に設け、前記第２のリンクが下降すると前記盤体と前記ローラがプラテン上の用紙に弾接し、該盤体とローラとで、用紙切断時、用紙の切断施行部分の近傍と後方を前記プラテンに押し付けるようにしたものである。
また本発明は、前記カッターの中心の軸体を前記カバー側を支点とするばねに連結し該軸体を上昇方向に付勢したものである。
【００１４】
【発明の実施の形態】
図４は本発明の一実施形態によるカッター機構を備えたインクジェット記録装置の要部を簡略化して示している。この記録装置では、プラテン２上の用紙４を挟持し、Ｘ軸方向に搬送する駆動ローラと押さえローラ６とから成るピンチローラ機構が配設されている。プラテン２の上方には、Ｙ軸レール８がＹ軸方向に前記プラテン２と平行して配設されている。前記Ｙ軸レール８にはヘッドキャリッジ１０がＹ軸レール８に沿ってＹ軸方向に走行可能な状態で取り付けられている。前記ヘッドキャリッジ１０には、インクジェット型の記録ヘッド１２が連結し、該記録ヘッド１２のカバーの側部にはカッターユニット１４が取り付けられている。前記プラテン２のＹ軸方向の両端側には、当接部材１６，１８が配設されている。
【００１５】
次にカッターユニット１４について説明する。
図１において、２０は下部が開放されたボックス状のカッターユニットのカバーであり、これに、中間部が結合部材２６により、互いに平行に連結された一対の側板２２，２４から成る第１のリンクの上部が、Ｘ軸に対して平行な同軸上でそれぞれ回転自在に軸（２８）支されている。３０は円盤状の丸刃カッターであり、これの中心部に盤体３２が形成され、該盤体３２の外周部にＯリング３３が装着されている。ている。３４は軸体であり、これに前記カッター３０の中心が回転自在に支持されている。前記カッター３０の中心の軸体３４の両端部は、カバー２０に設けた縦方向に延びる長孔３６に昇降方向にスライド自在に嵌合している。
【００１６】
４２は第２のリンクであり、その上部が前記リンク２２の下部に回転自在に軸（４４）支され、該リンク４２の下部に前記軸体３４が連結している。前記リンク４２の側方延長部４２ａには、アーム４１が軸４３によって回転自在に連結し、該アーム４１にローラ３８が回転自在に軸（４０）支されている。前記アーム４１は、ばね４５によって軸４３を中心として、図２中、反時計方向に付勢され、前記リンク４２の側方延長部４２ａに突設されたストッパー軸４７に係止されている。
【００１７】
４６は係合軸であり、一端部が前記リンク２４の下部に、前記リンク４２の支軸４４と同軸上に位置して、固定され、他端は、カバー２０から所定長さ突出している。前記カバー２０には、前記係合軸４６の、前記リンク２４の支軸２８を中心とする、円弧運動を案内する弧状のガイド穴４８が形成されている。５０は前記カッター３０を上昇方向に付勢するコイルばねであり、一端部がリンク２２の支軸２８に取り付けられ、他端が前記盤体３２の中心の軸体３４に取り付けられている。前記プラテン２の、前記カッター３０の移動経路の直下には、該カッター３０を受け入れる幅狭のスリット５２が設けられている。
【００１８】
上記した構成において、カッター３０上昇時、ばね５０の引っ張り力により、リンク２５，４２は、軸４４を中心として、く字状に急角度で屈折され、係合軸４６は、ガイド穴４８の一方４８ａに移動し、カッター３０は、プラテン２から所定距離離反する。このとき、ばね５０に対して、係合軸４６は、図５（Ｂ）に示すように、左側方に大きく離れている。図３に示す、カッター上昇状態において、記録ヘッド１２を、コントローラの制御により、Ｙ軸レール８に沿って、図中、左方向に移動し、係合軸４６を当接部材１６に衝突させ、係合軸４６を、図５（Ａ）に示すように、右方向に移動させると、リンク２２，２４が軸２８を中心として、反時計方向に揺動し、リンク２５，４２の回転部２８，４４，３４が直線の近傍に並ぶ。
【００１９】
このリンク２５，４２の伸長方向の変位により、カッター３０がばね５０の引っ張り力に抗してスリット２内に押し下げられ、盤体３２がプラテン２に当接する。またこの時のリンク４２の軸体３４を中心とする傾きによって、ローラ３８が下方向に移動し、プラテン２に当接する。このとき、係合軸４６は、ガイド穴４８の他端部４８ｂに移動する。該状態において、係合軸４６は、ガイド穴４８の他端部４８ｂの水平面にばね５０の上昇力の弾力によって圧接し、該位置に安定的に保持される。このとき、係合軸４６は、図５（Ａ）に示すように、ばね５０の近傍の右側に移動する。該状態において、ヘッドキャリッジ１０の移動によりカッターユニット１４を図２中、右方向に移動すると、プラテン２上の用紙４はスリット５２に沿ってカッター３０により切断される。
【００２０】
用紙切断時、用紙４はローラ３８と盤体３２外周のＯリング３３によりプラテン２に押し付けられ、ヘッドキャリッジ１０の移動によりカッター３０が回転し、用紙４が切断される。用紙切断時、用紙４は、ローラ３８により切断部の近傍を、また、盤体３２により、切断部の後方がプラテン２に押し付けられる。このようにすることで、カッター３０の先端での用紙の保持と切断直後の用紙の保持が同時に行われ、用紙の重さにより先端が破断されることなく用紙を最後まで綺麗に切断することができる。
【００２１】
カッターユニット１４を更にＹ軸レール８に沿って右方向に移動し、係合軸４６を当接部材１８に衝突させて、係合軸４６を、図５（Ｂ）に示すように、ばね５０に対して左方向に移動させると、リンク２５が軸２８を中心として、時計方向に揺動し、ローラ３８が上方向に移動し、ばね５０の弾力によりカッター３０がプラテン２から上昇する。なお、本実施形態において、ばね５０は省略しても良い。また、ガイド穴４８は、第１のリンク２５の軸２８を中心とする弧状の移動運動を案内し、リンク２５が、係合軸４６を介して押動されたとき、この押動位置に第１のリンク２５を係止するものであり、図示する係合軸４６を案内係止するガイド穴４８の構成に特に限定されるものではない。ガイド穴４８は、第１のリンク２５に突設した、前記係合軸４６とは別個の軸体の弧状の運動を案内し、係止するものであっても良い。
【００２２】
次にカッターユニットの他の実施形態について説明する。
図６において、５４は下部が開放されたボックス状のカッターユニット１４’のカバーであり、これに、第１のリンク５８の上部が、Ｘ軸に対して平行な軸体６０により回転自在に軸支されている。前記リンク５８は、側板部５８Ａ，５８Ｂから構成され、該側板部５８Ａ，５８Ｂは連結部材５６により、互いに平行に連結されている。６２は板状の第２のリンクであり、その上部が図９に示すように、前記リンク５８の下部に軸体６４によって回転自在に連結している。前記リンク６２の下部には軸体６６が固設されている。
【００２３】
前記リンク６２の軸体６６には、一対の互いに平行な側板７０Ａ，７０Ｂから構成される全体がコ字状の揺動アーム７０の一方が回転自在に連結している。３０は円盤状の丸刃カッターであり、これの中心部に盤体３２が固着され、該盤体３２の外周部にＯリングが装着されている。３４は軸体であり、これに前記カッター３０の中心が回転自在に支持されている。
前記カッター３０は、前記側板７０Ａ，７０Ｂ間に配置され、軸体３４が前記側板７０Ａ，７０Ｂの中間部に支持されている。前記揺動アーム７０の他方はコイルばね７２を介してリンク６２に連結し、該揺動アーム７０は、軸体６６を中心として、コイルばね７２の弾力により、軸体６６を中心として、図７中、時計方向に付勢されている。
【００２４】
７６は互いに平行な側板７６Ａ，７６Ｂがコ字状に連結する短尺アームであり、前記揺動アーム７０の側板７０Ａ，７０Ｂ間に配置され、前記短尺アーム７６の一方に固設された軸体８０が前記側板７０Ａ，７０Ｂに回転自在に支持されている。前記短尺アーム７６の開放端側には、前記カッター３０の両面側に位置して、ローラ８２，８４が回転自在に軸支されている。前記短尺アーム７６の中間部はコイルばね８６を介して、前記揺動アーム７０に連結し、該アーム７６は、前記コイルばね８６の弾力により、前記軸体８０を中心として、図７中、反時計方向に付勢されている。前記軸体３４は、カバー５４に設けた縦方向に延びる長孔６８に昇降方向にスライド自在に嵌合している。前記揺動アーム７０，前記リンク６２に設けたストッパー（図示省略）にコイルばね７２の弾力により圧接し、また、短尺アーム７６は、揺動アーム７０に設けたストッパー（図示省略）に、コイルばね８６の弾力により圧接している。
【００２５】
４６は前記軸体６４に、これと同軸線上に一体的に形成された係合軸であり、一端部が、カバー５４からガイド穴（図示省略）を介して所定長さ突出している。前記カバー５４の前後部壁には、前記係合軸４６及びこれと一体的な軸体６４の、前記リンク５８の軸体６０を中心とする、円弧運動を案内する弧状のガイド穴７４（他方は図示省略）が形成されている。前記軸体６４及び係合軸４６は、前記ガイド穴７４にスライド自在に嵌合している。７１は前記カッター３０を上昇方向に付勢するコイルばねであり、一端部がカバー５４の外側の上部に取り付けられ、他端が前記軸体３４に取り付けられている。
【００２６】
上記した構成において、カッター３０上昇時、リンク５８，６２の各回転部ａ，ｂ，ｃを結ぶ軸線は、図９（Ｂ）に示すように、軸体６４を中心として、く字状に急角度で屈折され、係合軸４６及び軸体６４は、ガイド穴７４の一方に移動し、カッター３０は、プラテン２から所定距離離反する。このとき、軸体６４及び係合軸４６は、ガイド穴７４の一方に保持される。図８に示す、カッター上昇状態において、記録ヘッド１２を、コントローラの制御により、Ｙ軸レール８に沿って、図中、左方向に移動し、係合軸４６を当接部材１６に衝突させ、係合軸４６を、図９（Ａ）に示すように、右方向に移動させると、リンク５８が軸６０を中心として、反時計方向に揺動し、リンク５８，６２の各回転部ａ，ｂ，ｃを結ぶ軸線が反対方向に屈折する。
【００２７】
このリンク５８，６２の伸長方向の変位により、リンク６２が軸体３４を中心として、下降しつつ、図９中、時計方向に回転し、カッター３０がスリット２内に押し下げられ、盤体３２がプラテン２に圧接する。この圧接力により、揺動アーム７０がコイルばね７２の弾発力に抗して軸体６６を中心として、図７中、反時計方向に若干揺動する。また、この時の、軸体３４を中心とするリンク６２の傾きによって、ローラ８２，８４が下方向に移動し、プラテン２に圧接する。この圧接力により、短尺アーム７６がコイルばね８６の弾発力に抗して軸体８０を中心として、図７中、時計方向に若干揺動する。
【００２８】
このとき、係合軸４６及び軸体６４は、ガイド穴７４の他端部に移動し、該位置に安定的に保持される。該状態において、ヘッドキャリッジ１０の移動によりカッターユニット１４’を図７中、右方向に移動すると、プラテン２上の用紙はスリット５２に沿ってカッター３０により切断される。用紙切断時、用紙はカッター３０の両側の一対のローラ８２，８４と盤体３２外周のＯリングによりプラテン２に押し付けられ、ヘッドキャリッジ１０の移動によりカッター３０が回転し、用紙が切断される。用紙切断時、用紙は、カッター３０の両側の一対のローラ８２，８４により切断施行部分の近傍の両側を、また、盤体３２により切断施行部分の後方がプラテン２に押し付けられる。
【００２９】
このようにすることで、カッター３０の先端での用紙の保持と切断直後の用紙の保持が同時に行われ、用紙の重さにより先端が破断されることなく用紙を最後まで綺麗に切断することができる。カッターユニット１４’が切断方向に移動中、カバー５４に対して、プラテン２の高さが変化しても、揺動アーム７０と短尺アーム７６は、コイルばね７２，８６の弾力によって、プラテン２の高さに追従して揺動し、盤体３２及びローラ８２，８４のプラテン２に対する圧接状態がカッター３０の下降中、保持される。そのため、カッター３０の回転が確実に行われ、且つ、用紙の押圧保持が確実に行われ、用紙を確実に切断することができる。カッターユニット１４’を更にＹ軸レール８に沿って右方向に移動し、係合軸４６を当接部材１８に衝突させて、係合軸４６を、図９（Ｂ）に示すように、左方向に移動させると、リンク５８が軸６０を中心として、時計方向に揺動し、リンク６２が引き上げられ、カッター３０がプラテン２から上昇する。
【００３０】
尚、前記ローラ８２，８４は、短尺アーム７６を介して、揺動アーム７０に取り付けられる構成に特に限定されるものではなく、図１１に示すように、揺動アーム７０に直接、一対のローラ８８（他方は図示省略）を回転自在に取り付ける構成としても良い。図１１において、ローラ８８は、カッター３０による用紙切断部の近傍の両側を押圧し、カッター３０の、プラテン２の凹凸に追従したアップダウンと連動する。
【００３１】
【発明の効果】
本発明は上述の如く構成したので、簡単な構成により確実にカッターのアップダウンを行うことができる。また、カッターの回転及び用紙押さえを確実に行うことができる。
【図面の簡単な説明】
【図１】本発明である用紙切断装置の実施形態を示す外観説明図である。
【図２】本発明である用紙切断装置の動作説明図である。
【図３】本発明である用紙切断装置の動作説明図である。
【図４】記録装置の全体概略平面図である。
【図５】本発明の動作説明図である。
【図６】本発明である用紙切断装置の他の実施形態を示す外観説明図である。
【図７】本発明である用紙切断装置の他の実施形態を示す側面説明図である。
【図８】本発明である用紙切断装置の他の実施形態を示す側面説明図である。
【図９】本発明の他の実施形態の動作説明図である。
【図１０】本発明である用紙切断装置の他の実施形態の正面説明図である。
【図１１】本発明である用紙切断装置の他の実施形態を示す側面説明図である。
【符号の説明】
２      プラテン
４      用紙
６      押さえローラ
８      Ｙ軸レール
１０    ヘッドキャリッジ
１２    記録ヘッド
１４    カッターユニット
１６    当接部材
１８    当接部材
２０    カバー
２２    側板
２４    側板
２５    第１のリンク
２６    結合部材
２８    軸
３０    カッター
３２    盤体
３４    軸体
３６    長孔
３８    ローラ
４０    軸
４１    アーム
４２    第２のリンク
４４    軸
４６    係合軸
４８    ガイド穴
５０    コイルばね
５２    スリット
５４    カバー
５６    結合部材
５８    第１のリンク
５８Ａ  側板部
５８Ｂ  側板部
６０    軸体
６２    第２のリンク
６４    軸体
６６    軸体
６８    長孔
７０    揺動アーム
７１    コイルばね
７２    コイルばね
７４    ガイド穴
７６    短尺アーム
８０    軸体
８２    ローラ
８４    ローラ
８６    コイルばね
８８    ローラ
【図１】
2004345074.tif 000003
【図２】
2004345074.tif 000004
【図３】
2004345074.tif 000005
【図４】
2004345074.tif 000006
【図５】
2004345074.tif 000007
【図６】
2004345074.tif 000008
【図７】
2004345074.tif 000009
【図８】
2004345074.tif 000010
【図９】
2004345074.tif 000011
【図１０】
2004345074.tif 000012
【図１１】
2004345074.tif 000013